(57)【要約】【課題】  パルスレーザ光源からの極短パルスレーザ光が、音響光学素子の有効範囲から外れることを防止して、鮮明な多光子蛍光画像を得る。【解決手段】  異なる波長の極短パルスレーザ光Ｌを出射可能なパルスレーザ光源４と、極短パルスレーザ光を試料Ａに照射し、試料Ａにおいて発せられた蛍光Ｆを観察する観察装置本体３と、パルスレーザ光源４と観察装置本体３との間に配置され、極短パルスレーザ光Ｌのオンオフあるいは出力調整を行う音響光学装置６と、音響光学装置６とパルスレーザ光源４との間に配置され、音響光学装置６に入射される極短パルスレーザ光の光軸の位置および角度を変更可能にする入射側アライメント調節装置１４と、パルスレーザ光源４から出射される極短パルスレーザ光の波長に基づいて、入射側アライメント調節装置１４を制御する制御装置９とを備える多光子励起型観察装置１を提供する。【選択図】      図１
2006275917.tif 000002
【特許請求の範囲】
【請求項１】
異なる波長の極短パルスレーザ光を出射可能なパルスレーザ光源と、
該パルスレーザ光源から発せられた極短パルスレーザ光を試料に照射し、試料において発せられた蛍光を観察する観察装置本体と、
前記パルスレーザ光源と観察装置本体との間に配置され、パルスレーザ光源から発せられる極短パルスレーザ光のオンオフあるいは出力調整を行う音響光学装置と、
該音響光学装置と前記パルスレーザ光源との間に配置され、音響光学装置に入射される極短パルスレーザ光の光軸の位置および角度を変更可能にする入射側アライメント調節装置と、
前記パルスレーザ光源から出射される極短パルスレーザ光の波長に基づいて、前記入射側アライメント調節装置を制御する制御装置とを備える多光子励起型観察装置。
【請求項２】
前記音響光学装置と前記観察装置本体との間に配置され、前記音響光学装置から出射された極短パルスレーザ光の光軸の位置および角度を変更可能にする出射側アライメント調節装置を備え、
前記制御装置が、前記パルスレーザ光源から出射される極短パルスレーザ光の波長に基づいて、前記出射側アライメント調節装置を制御する請求項１に記載の多光子励起型観察装置。
【請求項３】
前記出射側アライメント調節装置が、極短パルスレーザ光を偏向する１以上のミラーと、該ミラーの角度および位置を変更するミラー移動機構とを備える請求項２に記載の多光子励起型観察装置。
【請求項４】
前記入射側アライメント調節装置が、極短パルスレーザ光を偏向する１以上のミラーと、該ミラーの角度および位置を変更するミラー移動機構とを備える請求項１から請求項３のいずれかに記載の多光子励起型観察装置。
【請求項５】
前記制御装置が、前記極短パルスレーザ光の波長と、ミラー移動機構の作動状態とを対応づけて記憶するメモリ装置を備え、極短パルスレーザ光の波長に応じて、前記メモリ装置に記憶されている作動状態にミラー移動機構を調節する請求項１から請求項４のいずれかに記載の多光子励起型観察装置。
【請求項６】
前記制御装置が、前記極短パルスレーザ光の波長に応じて、前記音響光学装置の駆動周波数を調節する請求項１から請求項５のいずれかに記載の多光子励起型観察装置。
【請求項７】
群速度分散を補償する分散補償装置を備え、
前記制御装置が、前記極短パルスレーザ光の波長に応じて、前記分散補償装置による分散補償量を調節する請求項１から請求項６のいずれかに記載の多光子励起型観察装置。
【請求項８】
前記音響光学装置と前記入射側アライメント調節装置との間に配置され、極短パルスレーザ光の光束径を音響光学装置の有効範囲内に入射可能に縮小させる入射補正装置を備え、
該入射補正装置が、複数のレンズと、該レンズのうち少なくとも１枚のレンズを光軸方向に移動させるレンズ移動機構とを備え、
前記制御装置が、前記極短パルスレーザ光の波長に応じて前記レンズ移動機構を作動させる請求項４から請求項７のいずれかに記載の多光子励起型観察装置。
【請求項９】
前記出射側アライメント調節装置と観察装置本体との間に配置され、極短パルスレーザ光の光束径とビームダイバージェンスとを調節する入射調節装置を備え、
該入射調節装置が、複数のレンズと、該レンズのうち少なくとも１枚のレンズを光軸方向に移動させるレンズ移動機構とを備え、
前記制御装置が、前記極短パルスレーザ光の波長に応じて前記レンズ移動機構を作動させる請求項１から請求項８のいずれかに記載の多光子励起型観察装置。
【請求項１０】
異なる波長の極短パルスレーザ光を出射可能なパルスレーザ光源と、
前記パルスレーザ光源から発せられる極短パルスレーザ光のオンオフあるいは出力調整を行う音響光学装置と、
該音響光学装置と前記パルスレーザ光源との間に配置され、音響光学装置に入射される極短パルスレーザ光の光軸の位置および角度を調節する入射側アライメント調節装置と、
前記パルスレーザ光源から出射される極短パルスレーザ光の波長に基づいて、前記入射側アライメント調節装置を制御する制御装置とを備える多光子励起型観察用光源装置。
【請求項１１】
前記音響光学装置の後段に配置され、音響光学装置から出射された極短パルスレーザ光の光軸の位置および角度を調節する出射側アライメント調節装置と備え、
前記制御装置が、前記パルスレーザ光源から出射される極短パルスレーザ光の波長に基づいて、前記出射側アライメント調節装置を制御する請求項１０に記載の多光子励起型観察用光源装置。
【発明の詳細な説明】
【技術分野】
【０００１】
本発明は、多光子励起型観察装置および多光子励起型観察用光源装置に関するものである。
【背景技術】
【０００２】
従来、生体等の試料にその表面から励起光を照射して、試料の表面下の比較的深い位置から発せられる蛍光を検出することにより、細胞等の機能を観察する装置として、多光子励起型の観察装置が知られている（例えば、特許文献１参照。）。
この特許文献１においては、試料に照射する励起光の強度を調節し、あるいはオンオフするための手段として、音響光学変調器（ＡＯＭ：Acoust Optical
Modulator）のような音響光学素子を用いることが開示されている。
【特許文献１】特開平１０−５１２９５９号公報
【発明の開示】
【発明が解決しようとする課題】
【０００３】
音響光学素子は、一般に約１ｃｍ角の二酸化テルルやモリブデン酸塩からなる結晶であり、入射されたレーザ光を変調させることができる有効範囲は比較的狭い。音響光学素子に入射される極短パルスレーザ光が音響光学素子の有効範囲から外れると、迷光の混入等に起因してビーム形状が劣化するという問題がある。ビーム形状が劣化すると、試料の集光位置における点像分布関数(ＰＳＦ:Point Spread
Function)が悪化し、試料の集光位置における光子密度が低下し、多光子励起効果を効率よく発生させることができないという問題がある。
【０００４】
しかしながら、極短パルスレーザ光は、一般には略平行光であると考えられているが、厳密には、光軸方向に沿う特定の位置に光束径が最も小さくなるビームウエストを備えるとともに、該ビームウエストの位置から離れるに従って、所定の広がり角度で光束径が大きくなるビームダイバージェンスを備えている。したがって、多光子励起効果を効率よく発生させ、鮮明な多光子励起画像を取得するためには、このようにビームウエスト位置に依存して光束径が変化する極短パルスレーザ光の光軸を、音響光学素子の比較的狭い有効範囲内に精度よく一致させる必要がある。
【０００５】
本発明は上述した事情に鑑みてなされたものであって、パルスレーザ光源からの極短パルスレーザ光の光束が、音響光学素子の有効範囲外に外れることを防止して、多光子励起効果を効率的に発生させ、鮮明な多光子蛍光画像を得ることができる多光子励起型観察装置および多光子励起観察用光源装置を提供することを目的としている。
【課題を解決するための手段】
【０００６】
上記目的を達成するために、本発明は以下の手段を提供する。
本発明は、異なる波長の極短パルスレーザ光を出射可能なパルスレーザ光源と、該パルスレーザ光源から発せられた極短パルスレーザ光を試料に照射し、試料において発せられた蛍光を観察する観察装置本体と、前記パルスレーザ光源と観察装置本体との間に配置され、パルスレーザ光源から発せられる極短パルスレーザ光のオンオフあるいは出力調整を行う音響光学装置と、該音響光学装置と前記パルスレーザ光源との間に配置され、音響光学装置に入射される極短パルスレーザ光の光軸の位置および角度を変更可能にする入射側アライメント調節装置と、前記パルスレーザ光源から出射される極短パルスレーザ光の波長に基づいて、前記入射側アライメント調節装置を制御する制御装置とを備える多光子励起型観察装置を提供する。
【０００７】
本発明によれば、パルスレーザ光源から発せられた極短パルスレーザ光が観察装置本体に供給され、観察装置本体によって、試料に照射されると、試料における多光子励起効果によって、極短パルスレーザ光が集光させられた位置において多光子蛍光が発生する。発生した多光子蛍光は観察装置本体によって検出され、観察される。極短パルスレーザ光は、観察装置本体に入射される前に、音響光学装置を通過するので、音響光学装置によってオンオフあるいは出力調整される。
【０００８】
この場合において、本発明によれば、パルスレーザ光源から発せられる極短パルスレーザ光の波長が変更されると、制御装置の作動により、音響光学装置とパルスレーザ光源との間に備えられた入射側アライメント調節装置が作動させられる。パルスレーザ光源は、異なる波長の極短パルスレーザ光を出射する際に、その出射方向が変動する場合がある。本発明によれば、パルスレーザ光源からの極短パルスレーザ光の出射方向が変動しても、入射側アライメント調節装置の作動により、音響光学装置に入射される極短パルスレーザ光の光軸の位置および角度が一定に調節される。これにより、音響光学装置に入射される極短パルスレーザ光が、その有効範囲外に外れることを防止でき、多光子励起効果を効率的に発生させ、鮮明な多光子蛍光画像を得ることができる。
【０００９】
上記発明においては、前記音響光学装置と前記観察装置本体との間に配置され、前記音響光学装置から出射された極短パルスレーザ光の光軸の位置および角度を変更可能にする出射側アライメント調節装置を備え、前記制御装置が、前記パルスレーザ光源から出射される極短パルスレーザ光の波長に基づいて、前記出射側アライメント調節装置を制御することとしてもよい。
【００１０】
このように構成することで、パルスレーザ光源から出射される極短パルスレーザ光の波長が変更された場合には、制御装置の作動により出射側アライメント調節装置が作動させられ、音響光学装置から出射された極短パルスレーザ光の光軸の位置および角度が一定に調節される。これにより、観察装置本体に入射される極短パルスレーザ光の光軸の変動が防止され、試料において多光子励起効果を効率的に発生させることができる。
【００１１】
また、上記発明においては、前記出射側アライメント調節装置が、極短パルスレーザ光を偏向する１以上のミラーと、該ミラーの角度および位置を変更するミラー移動機構とを備えることとしてもよい。
また、前記入射側アライメント調節装置が、極短パルスレーザ光を偏向する１以上のミラーと、該ミラーの角度および位置を変更するミラー移動機構とを備えることとしてもよい。
【００１２】
このようにすることで、音響光学装置への入射側および出射側のいずれにおいても、ミラー移動機構の作動によって、１以上のミラーの角度および位置が調節され、簡易に光軸の位置および角度を３次元的に調節することが可能となる。
【００１３】
また、上記発明においては、前記制御装置が、前記極短パルスレーザ光の波長と、ミラー移動機構の作動状態とを対応づけて記憶するメモリ装置を備え、極短パルスレーザ光の波長に応じて、前記メモリ装置に記憶されている作動状態にミラー移動機構を調節することが好ましい。
【００１４】
このように構成することで、パルスレーザ光源から発せられる極短パルスレーザ光の波長が変動しても、メモリ装置により、極短パルスレーザ光の波長を得ることで、記憶されているミラー移動機構の作動状態に調節することができ、移動機構の作動状態を検出しながら調節する必要がなく、さらに簡易にかつ迅速に極短パルスレーザ光の光軸の位置および角度を調節することができる。
【００１５】
また、上記発明においては、前記制御装置が、前記極短パルスレーザ光の波長に応じて、前記音響光学装置の駆動周波数を調節することとしてもよい。
音響光学装置においては、２酸化テルル等からなる結晶に入力する音響波の振幅を調節することで、結晶に入射される極短パルスレーザ光の回折強度を調節し、出力される極短パルスレーザ光の強度を変調することができる。この場合に、変調すべき極短パルスレーザ光の波長に応じて結晶に入力する音響波の周波数である駆動周波数を調節することにより、極短パルスレーザ光の波長にかかわらず、略同等の方向に変調された極短パルスレーザ光を出射させることが可能となる。
【００１６】
また、上記発明には、群速度分散を補償する分散補償装置を備え、前記制御装置が、前記極短パルスレーザ光の波長に応じて、前記分散補償装置による分散補償量を調節することとしてもよい。
分散補償装置は、複数のプリズムや複数のグレーティングの距離を調節することで、群速度分散を補償するため、群速度分散の分散補償量を調節すると、出射される極短パルスレーザ光の光軸の位置および角度も変動する。本発明によれば、入射側アライメント調節装置あるいは出射側アライメント調節装置を制御する制御装置により、分散補償装置を調節することによって、分散補償量の調節により生じた極短パルスレーザ光の光軸の位置および角度の変動も入射側および／または出射側アライメント調節装置によって補正することができる。
【００１７】
また、上記発明においては、前記音響光学装置と前記入射側アライメント調節装置との間に配置され、極短パルスレーザ光の光束径を音響光学装置の有効範囲内に入射可能に縮小させる入射補正装置を備え、該入射補正装置が、複数のレンズと、該レンズのうち少なくとも１枚のレンズを光軸方向に移動させるレンズ移動機構とを備え、前記制御装置が、前記極短パルスレーザ光の波長に応じて前記レンズ移動機構を作動させることとしてもよい。
【００１８】
このように構成することで、極短パルスレーザ光の波長が変化したときには、制御装置の作動により、レンズ移動機構の作動によりレンズ間距離を調節し、あるいは、複数のレンズを移動させることにより、光束径の縮小率および／またはビームダイバージェンスを調節することができる。したがって、極短パルスレーザ光の波長の変動等により、極短パルスレーザ光のビームウエストの位置が光軸方向に変動しても、移動機構の作動により光束径の縮小率および／またはビームダイバージェンスを調節することができ、音響光学装置の有効範囲内に確実に入射させて、効率的に多光子励起効果を発生させることが可能となる  
【００１９】
さらに、上記発明においては、前記出射側アライメント調節装置と観察装置本体との間に配置され、極短パルスレーザ光の光束径とビームダイバージェンスとを調節する入射調節装置を備え、該入射調節装置が、複数のレンズと、該レンズのうち少なくとも１枚のレンズを光軸方向に移動させるレンズ移動機構とを備え、前記制御装置が、前記極短パルスレーザ光の波長に応じて前記レンズ移動機構を作動させることとしてもよい。
【００２０】
このように構成することで、レンズ移動機構の作動によりレンズ間距離を調節し、あるいは、複数のレンズを移動させることにより、光束径および／またはビームダイバージェンスを簡易に調節することができる。したがって、パルスレーザ光源から出射される極短パルスレーザ光の波長等の変動により、極短パルスレーザ光のビームウエストの位置が光軸方向に変動しても、一定のビームウエスト位置において、効率的に多光子励起効果を発生させることが可能となる。
【００２１】
また、本発明は、異なる波長の極短パルスレーザ光を出射可能なパルスレーザ光源と、前記パルスレーザ光源から発せられる極短パルスレーザ光のオンオフあるいは出力調整を行う音響光学装置と、該音響光学装置と前記パルスレーザ光源との間に配置され、音響光学装置に入射される極短パルスレーザ光の光軸の位置および角度を調節する入射側アライメント調節装置と、前記パルスレーザ光源から出射される極短パルスレーザ光の波長に基づいて、前記入射側アライメント調節装置を制御する制御装置とを備える多光子励起型観察用光源装置を提供する。
【００２２】
本発明によれば、パルスレーザ光源から発せられた極短パルスレーザ光は、音響光学装置を通過させられることにより、音響光学装置によってオンオフあるいは出力調整される。この場合において、本発明によれば、パルスレーザ光源から出射される極短パルスレーザ光の波長が変更された場合に、制御装置の作動により入射側アライメント調節装置が作動させられて、極短パルスレーザ光の光軸の位置および角度が調節されるので、音響光学装置の有効範囲内に、極短パルスレーザ光全体を入射させることができる。その結果、音響光学装置から出力される強度変調等された極短パルスレーザ光の試料の集光位置における点像分布関数が悪化することを防止した極短パルスレーザ光を出射することができる。
【００２３】
上記発明においては、前記音響光学装置の後段に配置され、音響光学装置から出射された極短パルスレーザ光の光軸の位置および角度を調節する出射側アライメント調節装置と備え、前記制御装置が、前記パルスレーザ光源から出射される極短パルスレーザ光の波長に基づいて、前記出射側アライメント調節装置を制御することとしてもよい。
【００２４】
このように構成することで、制御装置の作動により、音響光学装置から出射された極短パルスレーザ光の光軸の位置および角度が出射側アライメント調節装置によって調節されるので、極短パルスレーザ光の波長にかかわらず、一定の光軸位置および角度を有する極短パルスレーザ光を出射することができる。
【発明の効果】
【００２５】
本発明によれば、パルスレーザ光源から発せられる極短パルスレーザ光の波長等が変化しても、音響光学装置の有効範囲内から外れることなく極短パルスレーザ光を入射させて、多光子励起効果を効率的に発生させ、鮮明な多光子蛍光画像を得ることができるという効果を奏する。
【発明を実施するための最良の形態】
【００２６】
以下、本発明の一実施形態に係る多光子励起型観察装置について図１〜図６を参照して説明する。
本実施形態に係る多光子励起型観察装置１は、多光子励起型顕微鏡であって、図１に示されるように、光源装置（多光子励起型観察用光源装置）２と、該光源装置２の後段に配置される蛍光顕微鏡本体（観察装置本体）３とを備えている。
【００２７】
前記光源装置２は、異なる波長の極短パルスレーザ光Ｌを出射可能な波長可変のパルスレーザ光源４と、該パルスレーザ光源４から発せられる極短パルスレーザ光Ｌの群速度分散を補償する分散補償光学系５と、分散補償された極短パルスレーザ光Ｌのオンオフあるいは強度変調する音響光学装置６と、該音響光学装置６とパルスレーザ光源４との間に配置され、音響光学装置６に入射させる極短パルスレーザ光Ｌを調節する入射補正装置７と、音響光学装置６から出射され、前記蛍光顕微鏡本体３に入射される極短パルスレーザ光Ｌを調節する顕微鏡入射補正装置８と、これらを制御する制御装置９とを備えている。
【００２８】
前記分散補償光学系５は、例えば、一対のプリズム１０，１１とミラー１２とから構成されている。図２に示されるように、プリズム１０，１１どうしの間隔を調節することで、波長ごとに分散補償量を調節して、パルスレーザ光源４から蛍光顕微鏡本体３の対物レンズ３ａに至る全光学系における群速度分散を補償するようになっている。この際に、光路長の調節により、光軸がシフトし、波長の変化によって光軸の角度が変動するので、プリズム１０，１１およびミラー１２の位置および角度を矢印に示すように調節することにより、出射される極短パルスレーザ光Ｌの光軸の位置および角度が調節されるようになっている。
図中、符号１３は、パルスレーザ光源４から発せられた極短パルスレーザ光Ｌを反射して分散補償光学系５に指向させる一方、分散補償光学系５から出力された極短パルスレーザ光Ｌの光軸から外れた位置に配置されているミラーである。
【００２９】
前記入射補正装置７は、アライメント調節装置１４とビーム整形光学系１５とを備えている。
前記アライメント調節装置１４は、図３に示されるように、例えば、２枚のミラー１４ａ，１４ｂとこれらミラー１４ａ，１４ｂをそれぞれ移動させる２つのミラー移動機構１６，１７とを備えている。第１のミラー１４ａは、第１の方向Ｚ１から矢印のように入射されてきた極短パルスレーザ光Ｌを、該第１の方向Ｚ１に略直交する第２の方向Ｚ２に偏向させるようになっている。また、第２のミラー１４ｂは、第２の方向Ｚ２に入射される極短パルスレーザ光Ｌを、第１の方向Ｚ１および第２の方向Ｚ２に略直交する第３の方向Ｚ３に偏向させて出射するようになっている。
【００３０】
第１のミラー移動機構１６は、前記第１の方向Ｚ１に沿って第１のミラー１４ａを並進移動させる第１の並進機構１６ａと、前記第３の方向Ｚ３に平行な軸線回りに第１のミラー１４ａを揺動させる第１の揺動機構１６ｂとを備えている。第２のミラー移動機構１７は、前記第３の方向に沿って第２のミラー１４ｂを並進移動させる第２の並進機構１７ａと、前記第１の方向Ｚ１に平行な軸線回りに第２のミラー１４ｂを揺動させる第２の揺動機構１７ｂとを備えている。第１、第２の並進機構１６ａ，１７ａは、例えば、モータ１６ｃ，１７ｃおよびボールネジ１６ｄ，１７ｄにより駆動され、第１、第２の揺動機構１６ｂ，１７ｂは、例えば、モータ１６ｅ，１７ｅにより構成されている。
【００３１】
これにより、極短パルスレーザ光Ｌの光軸の角度が、第１の方向Ｚ１に対して、第１の方向Ｚ１および第２の方向Ｚ２を含む平面内においてずれている場合には、第１の揺動機構１６ｂを作動させてその角度を調節し、第１の方向Ｚ１に対して第２の方向Ｚ２および第３の方向Ｚ３を含む平面内においてずれている場合には、第２の揺動機構１７ｂを作動させてその角度を調節することができるようになっている。また、アライメント調節装置１４から出射される極短パルスレーザ光Ｌの光軸の位置が第１の方向Ｚ１にずれている場合には、第１の並進機構１６ａを作動させ、第２の方向Ｚ２にずれている場合には第２の並進機構１７ａを作動させて、その位置ずれを調節することができるようになっている。
【００３２】
これにより、アライメント調節装置１４から出射される極短パルスレーザ光Ｌは、入射される極短パルスレーザ光Ｌの光軸の角度および位置の如何にかかわらず、その光軸の角度および位置を精度よく一定の位置に調節することができるようなっている。
【００３３】
また、ビーム整形光学系１５は、分散補償光学系５を通過し、アライメント調節装置１４によって位置合わせされた極短パルスレーザ光Ｌの光束径を絞り、音響光学装置６の結晶１８（図４参照）の有効範囲Ｘ内に漏れなく入射させるように構成されている。
本実施形態においては、ビーム整形光学系１５は、例えば、図４に示されるように、両凸レンズ１９と平凹レンズ２０とを組み合わせたガリレイ型のビームエキスパンダと、両凸レンズ１９および平凹レンズ２０をそれぞれ光軸方向に移動可能に支持するレンズ移動機構２１，２２とにより構成されている。また、ビーム整形光学系１５は、パルスレーザ光源４と音響光学装置６との間に、その中央よりも音響光学装置６側に配置されていることが好ましい。また、ビーム整形光学系１５は、音響光学装置６の１００〜１０００ｍｍの位置に配置されていることがさらに好ましい。
【００３４】
前記音響光学装置６は、図４〜図６に示されるように、例えば、ＡＯＭであって、２酸化テルルからなる結晶１８と、該結晶１８を固定するケース２３と、結晶１８に接着された圧電素子からなるトランスデューサ２４と、該トランスデューサ２４に入力する電気信号Ｅを伝達する音響波発生用電気回路２５と、前記結晶１８に接着されたヒートシンク（放熱部材）２６とを備えている。結晶１８とケース２３との間、結晶１８とヒートシンク２６との間には、例えば、シリコーングリースのようなサーマルコンパウンドあるいはインジウム箔からなる界面材２７が介在させられている。また、図６中、符号２８は、トランスデューサ２４から発せられ、結晶１８内を伝播した音響波を吸収する吸音材である。
【００３５】
結晶１８を挟んで対向するケース２３の一対の側壁にはそれぞれ開口部２９が設けられており、一の開口部２９から極短パルスレーザ光Ｌを入射させ、結晶１８を通過した極短パルスレーザ光Ｌを他の開口部２９から出射させるようになっている。
前記ヒートシンク２６は、例えば、アルミニウムあるいはアルミニウム合金のような熱伝導率の高い材質からなり、図５に示されるように、平行間隔をあけて配置される複数の平板状のフィン２６ａを備えている。
【００３６】
前記顕微鏡入射補正装置８は、アライメント調節装置３０と、視準光学系３１とを備えている。
アライメント調節装置３０は、例えば、図３に示されるアライメント調節装置１４と同一構造を有し、蛍光顕微鏡本体３に入射させる極短パルスレーザ光Ｌの光軸の位置と偏向を精度よく調節することができるようになっている。
【００３７】
また、視準光学系３１は、例えば、図４に示されるビーム整形光学系１５と同一構造を有し、極短パルスレーザ光Ｌが、蛍光顕微鏡本体３の対物レンズ３ａの瞳位置に瞳径と略同等の光束径で入射されるように、出射される極短パルスレーザ光Ｌの光束径およびビームダイバージェンスを調節することができるようになっている。
【００３８】
極短パルスレーザ光Ｌは、光束径Ｗ、波面の曲率ＲおよびビームダイバージェンスＤがＷ＝Ｒ・Ｄとなる関係を有している。これら３つの変数Ｗ，Ｒ，Ｄはいずれも極短パルスレーザ光Ｌの波長λ、ビームウエスト位置における光束径Ｗ０およびビームウエスト位置からの光軸方向距離の関数である。したがって、これら３つの変数Ｗ，Ｒ，Ｄのうち、いずれか２つを決定することにより、極短パルスレーザ光Ｌを一意に決定することができる。すなわち、光束径ＷとビームダイバージェンスＤとを調節することは、光束径Ｗと波面の曲率Ｒとを調節すること、および、波面の曲率ＲとビームダイバージェンスＤとを調節することと等価である。
【００３９】
前記制御装置９には、パルスレーザ光源４から出射される極短パルスレーザ光Ｌの波長λとその波長λが選択されたときの前記各調節装置（分散補償光学系５、アライメント調節装置１４，３０、ビーム整形光学系１５、視準光学系３１および音響光学装置６）の最適な作動状態Ｙ、例えば、分散補償光学系５のプリズム１０，１１の位置および角度、アライメント調節装置１４，３０のミラー移動機構１６，１７の移動位置、ビーム整形光学系１５および視準光学系３１を構成するレンズ移動機構２１，２２の移動位置、音響光学装置６のトランスデューサ２４により結晶１８に入力する音響波の周波数等とを対応づけて記憶するメモリ装置３２が備えられている。各調節装置の作動状態Ｙは相互に関連している場合があるので、全ての調節装置に対して、波長λと作動状態Ｙとが設定されていることが好ましい。
【００４０】
そして、パルスレーザ光源４から出射される極短パルスレーザ光Ｌの波長λが、例えば、パルスレーザ光源Ｌから出力される波長情報（あるいは、外部から入力される極短パルスレーザ光の波長情報）λによって取得されると、制御装置９は、取得された波長情報λに基づいてメモリ装置３２内を検索し、波長λに対応する作動状態Ｙとなるように各調節装置を自動調節するようになっている。
【００４１】
これにより、パルスレーザ光源４の波長λの変化にかかわらず、簡易かつ精度よく極短パルスレーザ光Ｌを漏れなく音響光学装置６の結晶１８の有効範囲Ｘ内に通過させ、あるいは、対物レンズ３ａの瞳位置に瞳径と略同等の極短パルスレーザ光Ｌを入射させて、試料Ａにおける多光子励起効果を効率的に発生させることができるようになっている。
【００４２】
前記蛍光顕微鏡本体３は、極短パルスレーザ光Ｌを２次元的に走査する（例えば、近接ガルバノミラーのような）ガルバノミラー３３、走査された極短パルスレーザ光Ｌを集光して中間像を結像させる瞳投影レンズ３４、中間像を結像した極短パルスレーザ光Ｌを集光して略平行光にする結像レンズ３５、略平行光にされた極短パルスレーザ光Ｌを集光して試料Ａに結像させる対物レンズ３ａ、試料Ａにおいて発せられ対物レンズ３ａにより集光された多光子蛍光Ｆを極短パルスレーザ光Ｌから分岐するダイクロイックミラー３６、分岐された多光子蛍光Ｆを集光する集光レンズ３７、集光された多光子蛍光Ｆを検出する光電子増倍管（ＰＭＴ）３８とを備えている。符号３９，４０はミラーである。
【００４３】
このように構成された本実施形態に係る多光子励起型観察装置１の作用について、以下に説明する。
本実施形態に係る多光子励起型観察装置１によれば、パルスレーザ光源４から発せられる極短パルスレーザ光Ｌの波長が決定されると、その波長情報λがパルスレーザ光源４から、あるいは、外部の入力装置（図示略）から制御装置９に入力される。
制御装置９においては、入力された極短パルスレーザ光Ｌの波長情報λに基づいて、メモリ装置３２内が検索され、その波長情報λに関連づけて記憶されている各調節装置の作動状態Ｙが取得される。制御装置９は、取得された作動状態Ｙとなるように各調節装置を制御する。
【００４４】
具体的には、まず、パルスレーザ光源４から出射される極短パルスレーザ光Ｌの波長λが決定されると、パルスレーザ光源４から出射される極短パルスレーザ光Ｌの多光子励起型観察装置１の光学系全体における群速度分散量が定まるので、その群速度分散を補償するような分散補償量となる作動状態Ｙに分散補償光学系５が制御される。分散補償光学系５においては、２つのプリズム１０，１１間の距離および２つのプリズム１０，１１の角度およびミラー１２の位置が制御装置９により指示される作動状態Ｙとなるように制御される。これにより、適正に分散補償された極短パルスレーザ光Ｌが分散補償光学系５から出力される。
【００４５】
次に、パルスレーザ光源４から出射される極短パルスレーザ光Ｌの波長λが決定されると、パルスレーザ光源４からの出射方向および分散補償光学系５から出射方向が決定される。したがって、制御装置９は、メモリ装置３２から取得したミラー移動機構１６，１７の作動状態Ｙとなるようにアライメント調節装置１４を制御して、ビーム整形光学系１５に入射される極短パルスレーザ光Ｌの光軸の位置および角度が、極短パルスレーザ光Ｌの波長λの如何にかかわらず一定となるように調節する。
【００４６】
また、パルスレーザ光源４から出射される極短パルスレーザ光Ｌの波長λが決定されると、分散補償光学系５から出力される極短パルスレーザ光Ｌのビームウエスト位置およびビームダイバージェンスが決定される。したがって、制御装置９は、メモリ装置３２から取得したレンズ移動機構２１，２２の作動状態Ｙとなるようにビーム整形光学系１５を制御して、出射される極短パルスレーザ光Ｌの光束径を調節する。
【００４７】
この場合において、ビーム整形光学系１５は、極短パルスレーザ光Ｌの光束径を縮小して、音響光学装置６の結晶１８の有効範囲Ｘ内に入射させるように構成されているので、極短パルスレーザ光Ｌが漏れなく結晶１８を通過させられる。
【００４８】
また、パルスレーザ光源４から出射される極短パルスレーザ光Ｌの波長λが決定されると、音響光学装置６からの変調後の極短パルスレーザ光Ｌの出射方向が所定の方向となるような音響波の周波数が決定される。したがって、制御装置９は、メモリ装置３２から取得した音響波発生用電気回路２５の作動状態Ｙとなるように音響光学装置６を制御して、オンオフあるいは出力調節された極短パルスレーザ光Ｌを所定の方向に出力させる。
【００４９】
音響光学装置６においては、音響波発生用電気回路２５の作動により、所定周波数の電気信号Ｅがトランスデューサ２４に入力され、トランスデューサ２４において発生させられた音響波によって、結晶１８内における極短パルスレーザ光Ｌの音響光学効果が発生する。また、トランスデューサ２４により発生する音響波の振幅を変更することにより、結晶１８内における極短パルスレーザ光Ｌの回折強度を変化させ、音響光学装置６から出射される極短パルスレーザ光Ｌの強度を、音響波の振幅に応じた所定の割合で変調する。
【００５０】
これにより、入射された極短パルスレーザ光Ｌが結晶１８を通過してケース２３の開口部２９から、所定の強度に変調された状態で出射されることになる。
この場合において、ビーム整形光学系１５によって極短パルスレーザ光Ｌが結晶１８の有効範囲Ｘ内に漏れなく入射されているので、結晶１８に入射されない極短パルスレーザ光Ｌや結晶１８の側面によって乱反射等される極短パルスレーザ光Ｌが存在しない。したがって、これらの極短パルスレーザ光Ｌが迷光となって、正常に結晶１８を通過する極短パルスレーザ光Ｌに混入することがない。
【００５１】
その結果、結晶１８から出射される極短パルスレーザ光Ｌにおける波面の乱れの発生が抑制され、試料Ａの集光位置におけるＰＳＦの悪化が抑制される。すなわち、対物レンズ３ａの前方に形成される試料Ａにおける集光位置において、光子密度の低下が防止され、多光子励起効果を効率的に発生させることが可能となる。
【００５２】
また、トランスデューサ２４により結晶１８に入力する音響波をオンオフすることにより、極短パルスレーザ光Ｌの出射と遮断とを切り替えてオンオフすることができる。例えば、蛍光顕微鏡本体３のガルバノミラー３３による極短パルスレーザ光Ｌの２次元的な走査と同期させて極短パルスレーザ光Ｌをオンオフすることにより、試料Ａに対して所定の走査範囲のみに極短パルスレーザ光Ｌを照射することが可能となる。
【００５３】
また、極短パルスレーザ光Ｌは音響光学装置６の結晶１８内を通過させられる際に音響光学効果によって回折させられる。このとき、結晶１８にはトランスデューサ２４から音響波が入力されるので、そのエネルギによって結晶１８が局所的に発熱する。
【００５４】
本実施形態に係る多光子励起型観察装置１によれば、結晶１８自体の熱容量が小さいが、該結晶１８に熱容量の大きなヒートシンク２６が接着されているので、結晶１８において発生した熱はヒートシンク２６によって吸収される。また、ヒートシンク２６には複数のフィン２６ａが設けられているので、結晶１８から吸収した熱は、これらのフィン２６ａを介して外気に効率的に放散される。これにより、結晶１８の局所的な温度上昇が抑制され、結晶１８内の屈折率の変動が大幅に抑制されることになる。
【００５５】
結晶１８の屈折率が変動すると、結晶１８内における極短パルスレーザ光Ｌの回折が変化するため、音響光学装置６からの出射方向が変化する。したがって、何ら対策を施さない場合には、アライメント調節装置１４，３０によって極短パルスレーザ光Ｌの光軸の位置と偏向を厳密に調節しておいても、トランスデューサ２４から入力される音響波によって、結晶１８の温度が経時的に変化し、それによって結晶１８からの出射方向がずれて適正な位置に出射されなくなってしまうことになる。
【００５６】
また、結晶１８に入力する音響波の振幅は、その強度変調の程度やオンオフの頻度等の使用状態によって相違するため、使用状態ごとに極短パルスレーザ光Ｌの出射方向が変化する。
特に、ＡＯＭの場合には、音響波を発生させるためにトランスデューサ２４に入力する駆動電力が高いこと、および、極短パルスレーザ光Ｌを入射させる有効範囲の面積が小さいことにより、対策を施さない場合には結晶１８内は局所的に加熱される。
【００５７】
本実施形態によれば、熱容量の大きなヒートシンク２６によって結晶１８の温度変化が抑制されるので、音響波を発生させるためにトランスデューサ２４に入力する駆動電力が高くても、結晶１８における局所的な加熱状態が防止され、極短パルスレーザ光Ｌの出射方向を一定に維持することができる。その結果、結晶１８の経時的な温度変化を検出したり、検出された結晶１8の温度に基づいてアライメント調節装置３０をその都度調節したりする必要がなく、簡易な構成で、観察開始時に設定されたアライメント状態のままで、試料Ａの適正な照射範囲に極短パルスレーザ光Ｌを照射して、蛍光観察を行うことができる。
なお、本実施形態においては、ヒートシンク２６の形態として、平板状のフィン２６ａを備えるものを例示したが、これに代えて、他の任意の形態のヒートシンク２６を採用することができる。
【００５８】
また、パルスレーザ光源４から出射される極短パルスレーザ光Ｌの波長λが決定されると、音響光学装置６から極短パルスレーザ光Ｌの出射方向が決定される。したがって、制御装置９は、メモリ装置３２から取得したミラー移動機構１６，１７の作動状態Ｙとなるようにアライメント調節装置３０を制御して、視準光学系３１に入射される極短パルスレーザ光Ｌの光軸の位置および角度が、極短パルスレーザ光Ｌの波長λの如何にかかわらず一定となるように調節する。
【００５９】
また、パルスレーザ光源４から出射される極短パルスレーザ光Ｌの波長λが決定されると、音響光学装置６から出力される極短パルスレーザ光Ｌのビームウエスト位置およびビームダイバージェンスが決定される。したがって、制御装置９は、メモリ装置３２から取得したレンズ移動機構２１，２２の作動状態Ｙとなるように視準光学系３１を制御して、出射される極短パルスレーザ光Ｌの光束径およびビームダイバージェンスを調節する。
【００６０】
視準光学系３１においては、パルスレーザ光源４から発せられ、分散補償光学系５、アライメント調節装置１４、ビーム整形光学系１５、音響光学装置６およびアライメント調節装置３０を通過してきた極短パルスレーザ光Ｌの光束径およびビームダイバージェンスを再度補正し直すことにより、蛍光顕微鏡本体３の対物レンズ３ａの瞳位置に、その瞳径と略同等の光束径を有するように補正する。これにより、パルスレーザ光源４から発せられた極短パルスレーザ光Ｌを最も無駄なく効率的に試料Ａに集光させ、試料Ａ内に形成されるビームウエスト位置における光子密度を向上させて、効率的に多光子励起効果を発生させることができる。
【００６１】
このように、本実施形態に係る多光子励起型観察装置１および多光子励起型観察用光源装置２によれば、パルスレーザ光源４から出射される極短パルスレーザ光Ｌの波長λが変更されても、制御装置９が、その波長情報λに基づいて各調節装置を制御する。したがって、極短パルスレーザ光Ｌの波長λが変更されても、蛍光顕微鏡本体３の対物レンズ３ａの瞳位置に、その瞳径と略同等の光束径を有する極短パルスレーザ光Ｌを入射させることができ、試料Ａにおける多光子励起効果を効率的に発生させて鮮明な多光子励起画像を得ることができるという効果を奏する。
【００６２】
また、波長の変更等が生じても、極短パルスレーザ光Ｌのビームウエスト位置が光軸方向にずれるのを防止でき、波長にかかわらず、試料Ａの同一位置にピントを合わせることができる。
さらに、制御装置９は、メモリ装置３２に波長λと対応づけて記憶されている各調節装置の作動状態Ｙによって各調節装置を制御する。したがって、波長λが変更されても、簡易かつ迅速に、試料Ａにおいて多光子励起効果を効率的に発生させるように極短パルスレーザ光Ｌを調節することができる。
【００６３】
なお、本実施形態に係る多光子励起型観察用光源装置においては、分散補償光学系５として、２つのプリズム１０，１１とミラー１２とを有する構造のものを採用したが、これに代えて、グレーティング対により構成されていてもよい。この場合、グレーティングどうしの間隔を調節することにより、波長ごとに分散補償量を調節して、パルスレーザ光源４から蛍光顕微鏡本体３の対物レンズ３ａに至る全光学系における群速度分散を補償することができる。
また、プリズム１０，１１およびミラー１２の組合せの他、複数のプリズムの組合せ、複数のグレーティングの組合せ、プリズムとグレーティングとの組合せからなる分散補償光学系を採用することにしてもよい。
【００６４】
また、本実施形態においては、波長λと作動状態Ｙとを予め関連づけてメモリ装置３２に記憶しておくこととしたが、これに代えて、極短パルスレーザ光Ｌのアライメント状態を測定し、その測定結果をフィードバックしてアライメント調節装置１４，３０を制御することにしてもよい。このようにすることで、波長λが連続的に変化する場合においても極短パルスレーザ光の光軸の位置および方向が一定となるように調節することができる。
【００６５】
また、ビーム整形光学系１５に入力される極短パルスレーザ光Ｌあるいはビーム整形光学系１５から出力される極短パルスレーザ光Ｌの光束径を測定し、その測定結果に基づいて、所定の光束径やビームダイバージェンスが達成できるようにレンズ移動機構２１，２２を自動調節することにしてもよい。また、波長λの変更により生ずるビームウエスト位置の移動、ビームダイバージェンスの変動を検出し、それぞれ所望のビームウエスト位置およびビームダイバージェンスが達成できるように各調節装置を自動調節することにしてもよい。
【００６６】
また、本実施形態に係る多光子励起型観察装置１および多光子励起型観察用光源装置２においては、ガリレイ型のビーム整形光学系１５および視準光学系３１を採用したが、これに代えて、複数の凸レンズを有するケプラー型のビーム整形光学系１５および視準光学系３１を採用してもよい。
また、ビーム整形光学系１５は、図７に示されるように、一対の凹面鏡４１，４２を対向配置することにより構成してもよい。このように構成することで反射光学系によって極短パルスレーザ光Ｌの光束径を縮小させるので、ビーム整形光学系１５を通過する際に群速度分散を生じることがなく、パルス幅が広がることを防止できる。
【００６７】
また、図８に示すように、ビーム整形光学系１５として、絞り４３（あるいはスリットまたはピンホール等の空間フィルタ）を採用してもよい。このようにすることで、簡易な構成により極短パルスレーザ光Ｌの光束径を縮小させることができ、また調節も簡単であるという利点がある。
【００６８】
また、ビーム整形光学系１５および視準光学系３１が、２以上のレンズにより構成される場合には、レンズ移動機構はその少なくとも１つのレンズを光軸方向に移動させるように構成されていればよい。
【００６９】
さらに、極短パルスレーザ光Ｌの採用し得る波長λが有限個に限られる場合には、図９に示されるように、各波長λに適合する距離や角度に予め調節された状態に固定されたレンズ群あるいは凹面鏡からなる複数の補正光学ユニット１５Ａ，１５Ｂ，１５Ｃと、該補正光学ユニット１５Ａ，１５Ｂ，１５Ｃを切り替える切替機構４４とを備えるものとしてもよい。この場合においても、波長λと補正光学ユニット１５Ａ，１５Ｂ，１５Ｃとを対応づけてメモリ装置３２に記憶しておき、得られた波長情報λに基づいてメモリ装置３２内を検索して対応する補正光学ユニット１５Ａ，１５Ｂ，１５Ｃを選択し、切替機構４４により切り替えることとすれば、上記と同様に、簡易に高精度の多光子蛍光画像を取得することが可能となる。
【００７０】
なお、視準光学系３１についても同様の構造を採用することができる。また、この構造を採用するビーム整形光学系１５および視準光学系３１において、補正光学ユニット１５Ａ〜１５Ｃについては、その数は２以上でよい。
また、視準光学系３１，ビーム整形光学系１５のレンズ構成は、いずれも図示のような両凸レンズと平凹レンズとの組合せに限られるものではなく、正または負のパワーを持つ任意のレンズの組合せにより構成されるものであってもよい。           
【図面の簡単な説明】
【００７１】
【図１】本発明の一実施形態に係る多光子励起型観察装置および多光子励起型観察用光源装置を示す全体構成図である。
【図２】図１の多光子励起型観察装置に用いられる分散補償光学系を拡大して示す図である。
【図３】図１の多光子励起型観察装置に用いられるアライメント調節装置を拡大して示す図である。
【図４】図１の多光子励起型観察装置に用いられるビーム整形光学系および音響光学装置を拡大して示す図である。
【図５】図１の多光子励起型観察装置に用いられる音響光学装置の一例を示す斜視図である。
【図６】図３の音響光学装置の内部構造を示す縦断面図である。
【図７】図４のビーム整形光学系の変形例を示す図である。
【図８】図４のビーム整形光学系の他の変形例を示す図である。
【図９】図４のビーム整形光学系の変形例であって、予め調節された複数の補正光学ユニットを交換する切替機構を備えるビーム整形光学系および音響光学装置を示す図である。
【符号の説明】
【００７２】
Ａ  試料
Ｆ  蛍光
Ｌ  極短パルスレーザ光
λ  波長
Ｘ  有効範囲
Ｙ  作動状態
１  多光子励起型観察装置
２  多光子励起型観察用光源装置
３  蛍光顕微鏡本体（観察装置本体）
３ａ  対物レンズ
４  パルスレーザ光源
５  分散補償光学系（分散補償装置）
７  入射補正装置
８  顕微鏡入射調節装置（入射調節装置）
９  制御装置
１４  アライメント調節装置（入射側アライメント調節装置）
１４ａ，１４ｂ  ミラー
１６，１７  ミラー移動機構
２１，２２  レンズ移動機構
３０  アライメント調節装置（出射側アライメント調節装置）
３１  視準光学系（入射調節装置）
３２  メモリ装置
【図１】
2006275917.tif 000003
【図２】
2006275917.tif 000004
【図３】
2006275917.tif 000005
【図４】
2006275917.tif 000006
【図５】
2006275917.tif 000007
【図６】
2006275917.tif 000008
【図７】
2006275917.tif 000009
【図８】
2006275917.tif 000010
【図９】
2006275917.tif 000011